(57)【要約】【課題】  注文者から要求された注文品が揃っていることを確認する検品作業を正確且つ効率的に行う。【解決手段】  写真処理システム１０は、注文情報が受け付けられたフィルム９１毎に識別情報を付与すると共に、注文情報に含まれる注文品を規定する情報である注文品情報に基づき、注文品の種類を判別し、当該注文品の種類の組み合わせに対応して色情報を付与する受付装置１００と、識別情報を付与された色でネガシート９２に記録するフィルム処理装置４００と、写真９３をプリントして出力すると共に、その裏面に識別情報を付与された色で印刷する写真出力装置６００と、フィルムの画像データをＣＤ９４に格納すると共に、ＣＤ９４のレーベル面に識別情報を付与された色で印刷するＣＤ処理装置とを備える。【選択図】      図１
2005331756.tif 000002
【特許請求の範囲】
【請求項１】
画像が撮影されたフィルム毎に注文情報を受け付けて、注文情報によって規定される１又は複数種類の注文品の作成処理を行う写真処理システムであって、
フィルム毎の注文情報を格納する注文情報記憶手段と、
フィルム毎の注文情報に対して所定のルールに則って識別情報を付与する識別情報付与手段と、
外部から入力されたフィルム毎の注文情報を受け付けて、受け付けられた注文情報を前記識別情報付与手段によって付与された識別情報とを対応付けて前記注文情報記憶手段に格納する受付手段と、
前記注文情報によって規定される注文品を作成すると共に、作成された注文品に対して前記注文情報に対応する識別情報を視認可能に記録する注文品出力手段と、
前記注文情報の内、前記注文品を規定する情報である注文品情報を前記注文情報記憶手段から読み出して、前記注文品情報から前記注文品出力手段によって作成される注文品の種類の組み合わせを判別する種別判別手段とを備え、
前記注文品出力手段は、前記注文品の種類の組み合わせに対応して、作成された注文品に記録される識別情報の表示形態を変更するものであることを特徴とする写真処理システム。
【請求項２】
前記注文品出力手段は、前記識別情報を複数色で記録可能であり、前記識別情報の表示形態の変更を色彩の切替えで行なうものであることを特徴とする請求項１に記載の写真処理システム。
【請求項３】
前記注文品出力手段は、１のフィルムに対応する写真をプリントして出力すると共に、前記識別情報付与手段によって付与された識別情報を各写真に対して視認可能に記録する写真出力手段を少なくとも備えたことを特徴とする請求項１または２記載の写真処理システム。
【請求項４】
前記写真出力手段は、所定の印画紙に1のフィルムに対応する写真のサムネイル画像をプリントしたインデックスを作成すると共に、前記識別情報付与手段によって付与された識別情報を前記インデックに対して視認可能に記録するものであることを特徴とする請求項３記載の写真処理システム。
【請求項５】
前記注文品出力手段は、フィルムに対し現像処理を行なうと共に、前記識別情報付与手段によって付与された識別情報をフィルムに対して視認可能に記録するフィルム処理手段を少なくとも備えたことを特徴とする請求項１〜４のいずれかに記載の写真処理システム。
【請求項６】
前記注文品出力手段は、１のフィルムの画像データを記録媒体に格納すると共に、前記識別情報を記録媒体の表面に視認可能に記録する記録媒体処理手段を少なくとも備えたことを特徴とする請求項１〜５のいずれかに記載の写真処理システム。
【請求項７】
前記記録媒体は、ディスク状の記録媒体であって、
前記記録媒体処理手段は、前記識別情報を前記ディスク状の記録媒体のレーベル面に印刷することを特徴とする請求項６に記載の写真処理システム。
【発明の詳細な説明】
【技術分野】
【０００１】
本発明は、画像が撮影されたフィルム毎に注文情報を受け付けて、注文情報によって規定される注文品の作成処理を行う写真処理システムに関する。
【背景技術】
【０００２】
従来、写真館やＤＰ店などでフィルムから写真のプリント処理を行う場合には、注文者から指示されたプリント指示情報を含む注文情報をＤＰ袋と呼ばれる袋に記入して、このＤＰ袋とフィルムとを対応付けるために、ツインチェックと呼ばれる４桁の数字が印刷されたラベルをＤＰ袋とフィルムとに貼り付けていた。
【０００３】
そして、フィルムに対しては、現像、フィルムスキャナによる画像データの読み取り、ネガシートの生成等の処理が施され、フィルムスキャナにより読み取られた画像データが写真処理装置に入力されて印画紙にプリント処理が施されて写真が生成される。
【０００４】
プリント処理が完了すると、写真に形成された画像と、ネガシートとなったフィルムの画像とが作業者の目視によって照合され、プリントされた写真とフィルムとが照合される。そして、更に、フィルムに貼付されたツインチェックラベルと、ＤＰ袋に貼付されたツインチェックラベルとが作業者の目視によって照合され、フィルムとＤＰ袋とが照合される。照合されたフィルムと写真とがＤＰ袋に収納されて、注文者に手渡し可能な状態（仕上がり状態）となる。
【発明の開示】
【発明が解決しようとする課題】
【０００５】
上記の方法によれば、ＤＰ袋、フィルム及びプリントされた写真を作業者が目視によって照合する必要があるため、多数のプリント注文を間違いなく、短時間に処理することは困難であり、また、作業者の負担が大きかった。
【０００６】
一方、近年、ＣＤ−Ｒを備えたパーソナルコンピュータの一般家庭への普及に伴い、フィルムスキャナによって読み取られた画像データをＣＤに格納して提供するサービスが行われるようになってきている。このサービスを行う場合には、従来のＤＰ袋、フィルム及びプリントされた写真に加えて、画像データが格納されたＣＤを照合する必要があり、更に作業者の負担が大きくなる。
【０００７】
また、近年ディジタルカメラの普及に伴い、サイムネイル画像がプリントされたインデックスプリントの作成処理、画像データのＣＤへの格納処理、サムネイル画像のＣＤ―Ｒのレーベル面への印刷処理等の種々のサービスが行われるようになってきている。
【０００８】
このようなサービスの多様化に伴って、注文者から要求された注文品の種類及び注文品の組合せが大幅に増加しているため、写真館やＤＰ店等での、注文品が揃っているか否かをチェックする検品作業の負担が高まっている。
【０００９】
本発明は、上記課題に鑑みてなされたもので、注文毎に注文品を集めて、注文者から要求された注文品が揃っていることを確認する検品作業を正確且つ効率的に行う写真処理システムを提供することを目的とするものである。
【課題を解決するための手段】
【００１０】
請求項１に係る写真処理システムは、画像が撮影されたフィルム毎に注文情報を受け付けて、注文情報によって規定される１又は複数種類の注文品の作成処理を行う写真処理システムであって、フィルム毎の注文情報を格納する注文情報記憶手段と、フィルム毎の注文情報に対して所定のルールに則って識別情報を付与する識別情報付与手段と、外部から入力されたフィルム毎の注文情報を受け付けて、受け付けられた注文情報を前記識別情報付与手段によって付与された識別情報とを対応付けて前記注文情報記憶手段に格納する受付手段と、前記注文情報によって規定される注文品を作成すると共に、作成された注文品に対して前記注文情報に対応する識別情報を視認可能に記録する注文品出力手段と、前記注文情報の内、前記注文品を規定する情報である注文品情報を前記注文情報記憶手段から読み出して、前記注文品情報から前記注文品出力手段によって作成される注文品の種類の組み合わせを判別する種別判別手段とを備え、前記注文品出力手段は、前記注文品の種類の組み合わせに対応して、作成された注文品に記録される識別情報の表示形態を変更するものであることを特徴とする。
【００１１】
上記の構成によれば、識別情報付与手段によって、フィルム毎の注文情報に対して所定のルールに則って識別情報が付与され、受付手段によって、外部から入力されたフィルム毎の注文情報が受け付けられて、受け付けられた注文情報が識別情報付与手段によって付与された識別情報と対応付けられて注文情報記憶手段に格納される。更に、種別判別手段によって、注文情報の内、注文品を規定する情報である注文品情報が注文情報記憶手段から読み出され、当該注文品情報から前記注文品出力手段によって作成される注文品の種類の組み合わせが判別される。そして、注文品出力手段によって、注文情報により規定される注文品が作成されると共に、注文品の種類の組み合わせに対応して、作成された注文品に対して記録される識別情報の表示形態が変更される。従って、注文品に記録された識別情報の表示形態から注文者が要求する注文品の種類の確認が可能となり、注文品の検品作業を正確かつ効率的に行うことが可能となる。
【００１２】
請求項２に係る写真処理システムは、請求項１に記載の写真処理システムにおいて、前記注文品出力手段は、前記識別情報を複数色で記録可能であり、前記識別情報の表示形態の変更を色彩の切替えで行なうものであることを特徴とする。
【００１３】
上記の構成によれば、注文品出力手段によって、識別情報が複数色で記録可能であり、識別情報の表示形態の変更が色彩の切替えで行なわれる。従って、識別情報が注文品の種類の組み合わせに対応した色彩で各注文品に視認可能に記録されるため、各注文品に記録された識別情報の色彩から注文品の種類の確認が容易となり、注文品の検品作業をより正確且つ効率的に行うことが可能となる。
【００１４】
請求項３に係る写真処理システムは、請求項１または２記載の写真処理システムにおいて、前記注文品出力手段は、１のフィルムに対応する写真をプリントして出力すると共に、前記識別情報付与手段によって付与された識別情報を各写真に対して視認可能に記録する写真出力手段を少なくとも備えたことを特徴とする。
【００１５】
上記の構成によれば、写真出力手段によって、１のフィルムに対応する写真がプリントされて出力されると共に、識別情報付与手段によって付与された識別情報が各写真に対して視認可能に記録される。従って、写真に記録された識別情報の表示形態から注文者が要求する注文品の種類の確認が可能となり、注文品の検品作業を正確かつ効率的に行うことが可能となる。
【００１６】
請求項４に係る写真処理システムは、請求項３記載の写真処理システムにおいて、前記写真出力手段は、所定の印画紙に1のフィルムに対応する写真のサムネイル画像をプリントしたインデックスを作成すると共に、前記識別情報付与手段によって付与された識別情報を前記インデックに対して視認可能に記録するものであることを特徴とする。
【００１７】
上記の構成によれば、写真出力手段によって、所定の印画紙に1のフィルムに対応する写真のサムネイル画像をプリントしたインデックスが作成されると共に、識別情報付与手段によって付与された識別情報がインデックスに対して視認可能に記録される。従って、インデックスに記録された識別情報の表示形態から注文者が要求する注文品の種類の確認が可能となり、注文品の検品作業を正確かつ効率的に行うことが可能となる。
【００１８】
請求項５に係る写真処理システムは、請求項１〜４のいずれかに記載の写真処理システムにおいて、前記注文品出力手段は、フィルムに対し現像処理を行なうと共に、前記識別情報付与手段によって付与された識別情報をフィルムに対して視認可能に記録するフィルム処理手段を少なくとも備えたことを特徴とする。
【００１９】
上記の構成によれば、フィルム処理手段によってフィルムに対し現像処理が行なわれると共に、識別情報付与手段によって付与された識別情報がフィルムに対して視認可能に記録される。従って、フィルムに記録された識別情報の表示形態から注文者が要求する注文品の種類の確認が可能となり、注文品の検品作業を正確かつ効率的に行うことが可能となる。
【００２０】
請求項６に係る写真処理システムは、請求項１〜５のいずれかに記載の写真処理システムにおいて、前記注文品出力手段は、１のフィルムの画像データを記録媒体に格納すると共に、前記識別情報を記録媒体の表面に視認可能に記録する記録媒体処理手段を少なくとも備えたことを特徴とする。
【００２１】
上記の構成によれば、記録媒体処理手段によって、１のフィルムの画像データが記録媒体に格納されると共に、識別情報付与手段によって付与された識別情報が記録媒体の表面に視認可能に記録される。従って、記録媒体の表面に記録された識別情報の表示形態から注文者が要求する注文品の種類の確認が可能となり、注文品の検品作業を正確かつ効率的に行うことが可能となる。
【００２２】
請求項７に係る写真処理システムは、請求項６記載の写真処理システムにおいて、前記記録媒体は、ディスク状の記録媒体であって、前記記録媒体処理手段は、前記識別情報を前記ディスク状の記録媒体のレーベル面に印刷することを特徴とする。
【００２３】
上記の構成によれば、記録媒体は、ディスク状の記録媒体であり、記録媒体処理手段によって、識別情報がディスク状の記録媒体のレーベル面に印刷されるため、識別情報が更に見易くなり、記録媒体の検品作業を、更に、正確且つ効率的に行うことが可能となる。
【発明の効果】
【００２４】
請求項１に記載の発明によれば、注文品に記録された識別情報の表示形態から注文者が要求する注文品の種類の確認が可能となり、注文品の検品作業を正確かつ効率的に行うことが可能となる。
【００２５】
請求項２に記載の発明によれば、識別情報が注文品の種類の組み合わせに対応した色彩で各注文品に視認可能に記録されるため、各注文品に記録された識別情報の色彩から注文品の種類の確認が容易となり、注文品の検品作業をより正確且つ効率的に行うことが可能となる。
【００２６】
請求項３に記載の発明によれば、写真に記録された識別情報の表示形態から注文者が要求する注文品の種類の確認が可能となり、注文品の検品作業を正確かつ効率的に行うことが可能となる。
【００２７】
請求項４に記載の発明によれば、インデックスに記録された識別情報の表示形態から注文者が要求する注文品の種類の確認が可能となり、注文品の検品作業を正確かつ効率的に行うことが可能となる。
【００２８】
請求項５に記載の発明によれば、フィルムに記録された識別情報の表示形態から注文者が要求する注文品の種類の確認が可能となり、注文品の検品作業を正確かつ効率的に行うことが可能となる。
【００２９】
請求項６に記載の発明によれば、記録媒体の表面に記録された識別情報の表示形態から注文者が要求する注文品の種類の確認が可能となり、注文品の検品作業を正確かつ効率的に行うことが可能となる。
【００３０】
請求項７に記載の発明によれば、識別情報がディスク状の記録媒体のレーベル面に印刷されるため、識別情報が更に見易くなり、記録媒体の検品作業を、更に、正確且つ効率的に行うことが可能となる。
【発明を実施するための最良の形態】
【００３１】
以下、図１〜図１１を用いて本発明の一実施形態について説明する。図１は、本発明に係る写真処理システムの概略構成図の一例である。写真処理システム１０は、外部から入力された注文情報を受け付けると共に、注文情報が受け付けられたフィルム９１毎に識別情報等を付与する受付装置１００と、受付装置１００から入力された注文情報に従い、フィルム処理装置４００、写真出力装置６００、ＣＤ処理装置７００等を制御する全体制御装置２００と、現像処理を施すフィルム現像機３００と、現像処理によってフィルム９１に可視化された画像を光学的に読み取りコマ毎にディジタルデータ（画像データ）を生成すると共に、フィルムを所定コマ数毎に切断してネガシート９２を生成し、受付装置１００によって付与された識別情報をネガシート９２上に記録するフィルム処理装置４００（フィルム処理手段に相当する）と、写真９３をプリントして出力する写真出力装置６００（写真出力手段に相当する）と、ＣＤ−Ｒ（ＣＤ  ｒｅｃｏｒｄａｂｌｅ）又はＣＤ−ＲＷ（ＣＤ  ｒｅｗｒｉｔａｂｌｅ）（ここでは、これらを総称してＣＤ９４という）に画像データを書き込むＣＤ処理装置７００（記録媒体処理手段に相当する）と、受付装置１００によって受け付けられた注文情報を視認可能に表示する注文情報表示装置５００とを備えている。
【００３２】
受付装置１００は、外部から入力された注文情報を受け付けると共に、注文情報が受け付けられたフィルム９１毎に所定のルールに則って識別情報を生成して付与し、注文情報を識別情報等に対応付けて格納するものである。受付装置１００は、注文者に預り証９６として付与するべく所定の用紙に識別情報を印刷するものである。なお、受付装置１００の構成及び機能の詳細については、図２〜図５を用いて後述する。
【００３３】
全体制御装置２００は、受付装置１００、フィルム処理装置４００、写真出力装置６００、注文情報表示装置５００及びＣＤ処理装置７００と通信可能に接続されており、受付装置１００から受信した注文情報に従って、画像データのプリント処理、画像データのＣＤ９４への書き込み処理等を実行させるべく各種の指示情報を各装置に対して出力するものである。また、全体制御装置２００は、フィルム処理装置４００で読み取られたフィルム９１毎の画像データと識別情報を対応付けて一時的に格納するものである。なお、全体制御装置２００の構成及び機能の詳細については、図６、図７を用いて後述する。
【００３４】
フィルム現像機３００は、フィルム９１を処理液の充填された処理タンク内を通過させてフィルム９１に現像処理を施すものであって、コマ毎の画像を可視化する。
【００３５】
フィルム処理装置４００は、フィルム９１の各コマの画像データを読み取るフィルムスキャナと、フィルム９１の所定のコマ数（例えば、４コマ）毎に切断してネガシート９２に収納するフィルム収納部とを備える。フィルムスキャナによって得られた画像データは、フィルム９１毎に識別情報と対応付けられて全体制御装置２００、写真出力装置６００、ＣＤ処理装置７００に伝送される。また、フィルム処理装置４００は、全体制御装置２００から識別情報等を受信し、ネガシート９２上に所定の表示形態で識別情報を印刷するものである。なお、フィルム処理装置４００の構成の詳細については、図８を用いて後述する。
【００３６】
写真出力装置６００は、全体制御装置２００から識別情報及び注文情報等を受信し、フィルム処理装置４００から識別情報及び画像データを受信して、注文情報に応じて画像データを用いて写真９３を印画紙にプリントして出力するものである。また、写真出力装置６００は、印画紙の裏面（画像が形成される面と対向する面）に、所定の表示形態で識別情報を印刷するものである。なお、写真出力装置６００の構成の詳細については、図９を用いて後述する。
【００３７】
ＣＤ処理装置７００（注文品出力手段の一例である）は、フィルム処理装置４００によって得られた画像データをＣＤ９４に書き込むと共に、ＣＤ９４のレーベル面（記録面と対向する面）に所定の表示形態で識別情報を印刷するものである。なお、ＣＤ処理装置７００の構成の詳細については、図１０、１１を用いて後述する。
【００３８】
注文情報表示装置５００は、外部から入力された識別情報を受け付けて、受け付けた識別情報に対応する注文情報を視認可能に表示すると共に、注文情報を用いて課金金額を算出して、求められた課金金額情報を視認可能に表示するものである。
【００３９】
図２は、受付装置１００のハード構成図の一例である。受付装置１００は、例えば、パーソナルコンピュータ等からなり、受付装置１００の全体の動作を制御する制御部１１と、外部からの操作を受け付ける図略のキーボード、マウス等からなる操作部１２と、外部に音声を出力するスピーカ１３と、画像を表示するモニタ１４と、フィルム処理装置４００、写真出力装置６００、ＣＤ処理装置７００及び注文情報表示装置５００と通信を行う通信制御部１５と、ＨＤＤ１７とがデータ伝送路であるバスＢＡ１を介して接続されている。受付装置１００には、種々の情報を記録用紙に印刷する特に、注文者に付与する預り証９６として識別情報を所定の用紙に印刷するプリンタ１６が接続されている。
【００４０】
制御部１１は、受付装置１００の全体の動作を制御するもので、情報処理部（ＣＰＵ）１１１と、処理途中の情報等を一時的に格納するＲＡＭ１１２と、各種の処理プログラム、所定の画像情報等が予め記憶されたＲＯＭ１１３とを備えている。ＲＡＭ１１２またはＲＯＭ１１３に記憶された各種データのうち装着脱可能な記録媒体に記憶され得るデータは、例えば光ディスクドライブ、フレキシブルディスクドライブ、シリコンディスクドライブ、カセット媒体読み取り機等のドライバで読み取り可能にしてもよく、この場合、記録媒体は、例えば光ディスク、フレキシブルディスク、ＣＤ、ＤＶＤ、半導体メモリ等である。
【００４１】
インターフェイス部１２１は、操作部１２との間のデータの授受を行うためのものである。音声再生部１３１は、制御部１１からの指示に従って所定の音声（例えば、アラーム、操作ガイダンス用の音声等）等をスピーカ１３に出力するものである。描画処理部１４１は、制御部１１からの画像表示指示に従って所要の画像をモニタ１４に表示させるもので、ビデオＲＡＭ等を備えている。
【００４２】
図３は、受付装置１００の機能構成図の一例である。ＣＰＵ１１１は、注文情報を受け付ける注文情報受付部１１１ａ（受付手段に相当する）と、注文情報が受け付けられたフィルム９１毎に識別情報を付与する識別情報付与部１１１ｂ（識別情報付与手段に相当する）と、注文情報受付部１１１ａによって受け付けられた注文情報に含まれる注文品を規定する情報である注文品情報に基づき、注文品の種類の組み合わせを判別する注文種別判別部（種別判別手段に相当する）１１１ｅと、注文種別判別部１１１ｅにより判断された注文品の種類の組み合わせに対応して、色情報を付与する色情報付与部１１１ｆと、注文情報等を全体制御装置２００等に送信するデータ送信部１１１ｃと、注文者に付与する預り証９６として識別情報を印刷する指示を出力する印刷指示部１１１ｄとを備えている。ＲＡＭ１１２は、注文情報等を格納する受付情報記憶部１１２ａ（注文情報記憶手段に相当する）、色情報等を格納する色情報記憶部１１２ｂ、及びフィルム処理装置４００で読み取られた画像データ等を格納する画像データ記憶部２１２ｂを備えている。また、受付装置１００を注文情報受付部１１１ａ、識別情報付与部１１１ｂ、データ送信部１１１ｃ及び印刷指示部１１１ｄとして機能させるプログラムは、例えばＨＤＤ１７に格納されており、ＣＰＵ２１１によって実行されることにより、受付装置１００が注文情報受付部１１１ａ等の各機能部として機能するものである。
【００４３】
注文情報受付部１１１ａは、操作部１２を介して外部からの入力を受け付けて、例えば、注文者の氏名、住所、電話番号、電子メールアドレス等の情報（以下、注文者情報という）を受け付ける。ただし、注文者情報は、上記の例に限らず、注文者が識別（特定）できるものであれば足りるため、例えば、氏名のみである形態でもよい。また、注文情報受付部１１１ａは、フィルム９１に対応する現像処理時にプリントを行う同時プリントの要否を表す同時プリント要否情報と焼き増しプリントの要否を表す焼き増しプリント要否情報、フィルム９１に対応する写真９３のサムネイル画像を含むインデックス９５のプリントの要否を表すインデック要否情報、プリントサイズ、及びプリント枚数等の注文情報（以下、「プリント注文情報」という）を受け付けるものである。さらに、注文情報受付部１１１ａは、ＣＤ９４への画像データの書き込みの要否を表すＣＤ書き込み要否情報、ＣＤ９４のレーベル面に写真のサムネイル画像を印刷するレーベル印刷の要否を表すレーベル印刷要否情報等の注文情報（以下、「ＣＤ格納注文情報」という）を受け付ける。注文情報受付部１１１ａは、焼き増しプリント要否情報が「要」である場合、更に焼き増しプリント対象の画像の注文をフィルム９１のコマ単位で受け付け、焼き増しプリント対象として指定されたコマの画像データの識別情報（以下、コマ画像識別情報）を受け付ける。
【００４４】
ユーザは、焼き増しプリントを注文する際は、操作部によりモニタ１４に表示される注文画面から焼き増しプリントを注文するための注文キーを選択すると共に、同時プリントの際にフィルム９１に付与された識別情報を入力すると、注文画面にフィルム９１の各コマに撮影された画像が各画像の識別情報と共に表示される。さらに、ユーザは、操作部により注文画面に表示されるコマ画像の中から焼き増しプリントを所望する画像を選択し、その識別情報を入力すると、焼き増しプリント注文及び焼き増しプリント対象のコマ画像の識別情報（以下、「プリント画像指定情報」という）が注文情報受付部１１１ａに受け付けられる。
【００４５】
識別情報付与部１１１ｂは、注文情報受付部１１１ａによって注文情報が受け付けられたフィルム９１毎に、所定のルールに則って識別情報を生成して付与すると共に、注文情報に対応付けて識別情報を受付情報記憶部１１２ａに格納するものである。ここでは、識別情報は４桁の整数であって、識別情報付与部１１１ｂは、注文情報が受け付けられた順にカウントアップすることで、フィルム９１毎に４桁の一連番号である識別情報を付与するものである。例えば、識別情報として、「１２３４」が付与されたフィルム９１の直後に受け付けられたフィルム９１には、識別情報として「１２３５」が付与される。
【００４６】
注文種別判別部１１１ｅは、注文情報受付部１１１ａによって受け付けられた注文情報に含まれる同時プリント要否情報、焼き増しプリント要否情報、インデックス要否情報、ＣＤ書き込み要否情報、レーベル印刷要否情報が「要」または「否」を表すのかを判断し、注文品の種類の組み合わせを判断するものである。
【００４７】
色情報記憶部１１２ｂは、注文品情報と色情報とを関連付けて格納するものである。図４は、色情報記憶部１１２ｂに互いに関連付けて記憶される注文品情報の組み合わせ及び色情報と、注文情報に従い写真出力装置６００等で作成される注文品との関係を表す表である。例えば、同時プリント要否情報が「要」であり、その他の要否情報が「否」である場合は、色情報は「赤」であり、注文品は、「ネガシート」、「写真」である。同時プリント要否情報及びインデックス要否情報が「要」であり、その他の要否情報が「否」である場合は、色情報は「黄」であり、注文品は、「ネガシート」、「写真」、「インデックス」である。
【００４８】
色情報付与部１１１ｆは、注文種別判別部１１１ｅにより判別された注文品の種類の組み合わせに対応する色情報を色情報記憶部１１２ｂから読み出し、注文情報に対応付けて色情報を受付情報記憶部１１２ａに格納するものである。
【００４９】
データ送信部１１１ｃは、通信制御部１５を介して、全体制御装置２００に対して、注文情報受付部１１１ａによって受け付けられた注文情報を識別情報付与部１１１ｂによって付与された識別情報及び色情報付与部１１１ｆによって付与された色情報に対応付けて送信するものである。
【００５０】
印刷指示部１１１ｄは、注文者に付与する預り証９６として、識別情報付与部１１１ｂによってフィルム９１に付与された識別情報を印刷する旨の指示情報をプリンタ１６に対して出力するものである。なお、預り証９６は、プリント注文時に注文者に付与され、プリント処理等が完了して注文者が写真９３等を受け取る際に、注文情報の確認のために使用されるものである。
【００５１】
受付情報記憶部１１２ａは、注文情報受付部１１１ａによって受け付けられた注文情報を、識別情報付与部１１１ｂによって付与された識別情報及び色情報付与部１１１ｆによって付与された色情報に対応付けて格納するものである。
【００５２】
図５は、受付装置１００の動作を表すフローチャートの一例である。まず、注文情報受付部１１１ａによって、注文者の氏名、住所等を含む注文者情報、プリントサイズ、プリント枚数等を含むプリント注文情報等が受け付けられる（ステップＳ１０１）。
【００５３】
次に、識別情報付与部１１１ｂによって、ステップＳ１０１において注文情報が受け付けられたフィルム９１に対して、識別情報が付与される（ステップＳ１０３）。注文種別判別部１１１ｅによって、注文情報受付部１１１ａにより受け付けられた注文情報に基づき注文品の種類の組み合わせが判別される（ステップＳ１０５）。色情報付与部１１１ｆによって、注文種別判別部１１１ｅによって判別された注文品の種類の組み合わせに対応する色情報が色情報記憶部１１２ｂから読み出され、色情報が付与される（ステップＳ１０７）。
【００５４】
次に、識別情報付与部１１１ｂによって、ステップＳ１０１において受け付けられた注文情報がステップＳ１０３において付与された識別情報及びステップＳ１０７において付与された色情報に対応付けられて受付情報記憶部１１２ａに格納される（ステップＳ１０９）。次いで、データ送信部１１１ｃによって、ステップＳ１０３において付与された識別情報、ステップＳ１０７において付与された色情報、ステップＳ１０１において受け付けられた注文情報が全体制御装置２００に対して送信される（ステップＳ１１１）。そして、印刷指示部１１１ｄによって、ステップＳ１０３において付与された識別情報を印刷する旨の指示情報がプリンタ１６に対して出力され（ステップＳ１１３）、処理が終了される。
【００５５】
図６は、全体制御装置２００のハード構成図の一例である。全体制御装置２００は、例えば、パーソナルコンピュータ等からなり、全体制御装置２００の全体の動作を制御する制御部２１と、外部からの操作を受け付ける図略のキーボード、マウス等からなる操作部２２と、外部に音声を出力するスピーカ２３と、画像を表示するモニタ２４と、フィルム処理装置４００、写真出力装置６００、ＣＤ処理装置７００及び注文情報表示装置５００と、通信を行う通信制御部２５と、ＨＤＤ２７とがデータ伝送路であるバスＢＡ２を介して接続されている。全体制御装置２００には、種々の情報を記録用紙に印刷するプリンタ１６が接続されている。
【００５６】
制御部２１は、全体制御装置２００の全体の動作を制御するもので、ＣＰＵ（中央演算処理装置）２１１と、処理途中の情報等を一時的に格納するＲＡＭ２１２と、各種の処理プログラム、所定の画像情報等が予め記憶されたＲＯＭ２１３とを備えている。ＲＡＭ２１２またはＲＯＭ２１３に記憶された各種データのうち装着脱可能な記録媒体に記憶され得るデータは、例えば光ディスクドライブ、フレキシブルディスクドライブ、シリコンディスクドライブ、カセット媒体読み取り機等のドライバで読み取り可能にしてもよく、この場合、記録媒体は、例えば光ディスク、フレキシブルディスク、ＣＤ、ＤＶＤ、半導体メモリ等である。
【００５７】
インターフェイス部２２１は、操作部２２との間のデータの授受を行うためのものである。音声再生部２３１は、制御部２１からの指示に従って所定の音声（例えば、アラーム、操作ガイダンス用の音声等）等をスピーカ２３に出力するものである。描画処理部２４１は、制御部２１からの画像表示指示に従って所要の画像をモニタ２４に表示させるもので、ビデオＲＡＭ等を備えている。
【００５８】
図７は、全体制御装置２００の機能構成図の一例である。ＣＰＵ２１１は、受付装置１００から注文情報、識別情報及び色情報等を受信するデータ受信部２１１ａと、データ受信部２１１ａによって受信された注文情報に従って、フィルム処理装置４００、写真出力装置６００、ＣＤ処理装置７００及び注文情報表示装置５００に指示情報を生成する指示部２１１ｂと、識別情報、色情報及び画像データと共に各種の指示情報を各装置に送信するデータ送信部２１１ｃと、画像データ記憶部２１２ｂに記憶される画像データの中から指示部２１１ｂにより指定された画像データを読み出す画像抽出部２１１ｄとを備えている。ＲＡＭ１１２は、注文情報等を格納する受付情報記憶部２１２ａ、フィルム処理装置４００で読み取られた画像データ等を格納する画像データ記憶部２１２ｂを備えている。
【００５９】
データ受信部２１１ａは、受付装置１００から注文情報、識別情報及び色情報を受信すると、これらの情報を受付情報記憶部２１２ａに格納するものである。また、データ受信部２１１ａは、フィルム処理装置４００からフィルム９１毎の画像データ、識別情報及びフィルム９１の各コマの画像毎に付与される識別情報（以下、画像識別情報という）を受信すると、画像データ、識別情報及び画像識別情報を対応付けて画像データ記憶部２１２ｂに格納するものである。
【００６０】
画像抽出部２１１ｄは、画像データ記憶部２１２ｂに記憶される画像データの中から、受付装置１００から受信された識別情報に基づき焼き増しプリント対象のフィルム９１の画像データを特定し、さらに受付装置１００から受信されたプリント画像指定情報に基づき、焼き増しプリント対象のコマの画像データを特定し、当該画像データを画像データ記憶部２１２ｂから読み出すものである。
【００６１】
指示部２１１ｂは、データ受信部２１１ａを介して注文情報を受信し、注文情報に含まれる同時プリント要否情報が「要」である場合は、フィルム９１から画像データを読み込みと共に、ネガシート９２を生成する旨のフィルム処理装置４００に対するネガシート生成指示情報を生成し、さらに、フィルム処理装置４００によって読み込まれた画像データを対応する注文情報に従ってプリントすると共に、画像データをプリントして得られた感光材片６１Ａの裏面に色情報で特定される色で識別情報を印刷する旨の写真出力装置６００に対する同時プリント指示情報を生成する。
【００６２】
指示部２１１ｂは、注文情報に含まれる焼き増しプリント要否情報が「要」である場合は、識別情報及び注文情報に含まれるプリント画像指定情報に基づき、画像データ記憶部２１２ｂに記憶される画像データの中から焼き増しプリント対象の画像データを読み出す旨の画像抽出部２１１ｄに対する画像読み出し指示情報を生成し、さらに画像抽出部２１１ｄによって読み出された画像データを対応する注文情報に従ってプリントすると共に、画像データをプリントして得られた感光材片６１Ａの裏面に色情報で特定される色で識別情報を印刷する旨の写真出力装置６００に対する焼き増しプリント指示情報を生成する。
【００６３】
指示部２１１ｂは、注文情報に含まれるインデックス要否情報が「要」である場合は、フィルム処理装置４００または画像抽出部２１１ｄによって得られた画像データにより生成されたインデックス画像をプリントする旨の写真出力装置６００に対するインデックスプリント指示情報を生成する。
【００６４】
指示部２１１ｂは、注文情報に含まれるＣＤ書き込み要否情報が「要」である場合は、フィルム処理装置４００または画像抽出部２１１ｄによって得られた画像データをＣＤ−ＲＷに書込むと共に、ＣＤ−ＲＷのレーベル面に色情報で特定される色の識別情報を印字する旨のＣＤ処理装置７００に対する書き込み指示情報を生成する。さらに、指示部２１１ｂは、レーベル印刷要否情報が「要」である場合、フィルム処理装置４００または画像抽出部２１１ｄによって得られた画像データにより生成されたインデックス画像をＣＤ−ＲＷのレーベル面に印刷する旨のＣＤ処理装置７００に対するレーベル印刷指示情報を生成する。
【００６５】
データ送信部２１１ｃは、通信制御部１５を介して、フィルム処理装置４００、写真出力装置６００、ＣＤ処理装置７００等に対して、指示部２１１ｂによって生成された指示情報を識別情報及び色情報に対応させて送信するものである。また、データ送信部２１１は、フィルム処理装置４００または画像抽出部２１１ｄから画像データを受信すると、写真出力装置６００、ＣＤ処理装置７００等に対して、画像データを送信するものである。
【００６６】
ここで、全体制御装置２００の動作の概要について説明する。まず、データ受信部１１１ａによって、受付装置１００から注文情報、識別情報、色情報等が受信され、フィルム処理装置４００から識別情報及び画像データが受信される。指示部２１１ｂによって、識別情報をキーとして注文情報と画像データとが対応付けられて、画像データを対応する注文情報に従ってプリントする等の指示情報が作成される。データ送信部２１１ｃによって、指示部２１１ｂによって生成された各装置に対する指示情報、識別情報、色情報、及び画像データが各装置に送信される。
【００６７】
フィルム処理装置４００は、フィルム現像機３００によって現像されたフィルム９１に光を当てて、透過光をＣＣＤ（ｃｈａｒｇｅ  ｃｏｕｐｌｅｄ  ｄｅｖｉｃｅ）などの撮像素子で受光することによってフィルム９１のコマ毎の画像データを得るフィルムスキャナ（図示省略）と、現像済みのフィルム９１を所定のコマ数（ここでは、６コマ）に切断した後、袋状のフィルム収納部を多数並設してなる帯状のフィルムシートに収納して、ネガシート９２を生成するフィルム収納部とを備える。
【００６８】
図８は、フィルム収納部の詳細構成図の一例である。（ａ）は平面図であり、（ｂ）は側面図である。フィルム収納部４４は、搬送されるフィルム９１の先端、後端等を光学的に検出する端部検出センサ４４ａと、端部検出センサ４４ａの下流に設けられたフィルム９１を切断するカッタ４４ｂと、カッタ４４ｂの下流にネガシート９２を搬送するためのテーブルである搬送テーブル４４ｃと、搬送テーブル４４ｃの上方のネガシート９２の搬送方向Ｖ１下流側にネガシート９２の所定位置に識別情報を印字する所要ライン分のインクジェットヘッド４４ｄとを備えている。
【００６９】
カッタ４４ｂは、端部検出センサ４４ａの検出信号を用いて、ネガシート９２の収納条件に合致するようにフィルム９１を所定コマ数（ここでは、４コマ）毎に切断するものである。なお、ネガシート９２は、カッタ４４ｂによって切断されて生成される所定コマ数（ここでは、４コマ）のシート状のフィルムを収納するフィルム収納部が複数並設されて帯状に形成されているものである。
【００７０】
インクジェットヘッド４４ｄは、ネガシート９２の１番目のフィルム９１の切断片９１１が収納されているフィルム収納部９２１におけるネガシート９２の搬送方向Ｖ１側の略中央位置９２ａにフィルム９１の識別情報を印字するものである。インクジェットヘッド４４ｄは、シアン、マゼンタ、イエロー、ブラックのインクリボンを備え、ネガシート９２に異なる色の識別情報を印字することが可能であり、色情報で特定される色の識別情報を印字するものである。
【００７１】
制御部４４ｅは、全体制御装置２００からネガシート生成指示情報、識別情報、色情報を受信すると、装置各部を制御し、フィルムスフィルムから画像データを読み込むと共に、ネガシート９２を生成し、ネガシート９２の所定位置に色情報で特定される色の識別情報を印字するものである。
【００７２】
フィルム処理装置４００（主にフィルム収納部４４）の動作を説明する。まず、フィルムスキャナによって、フィルム９１のコマ毎の画像データ及びフィルム９１上の各コマ毎の画像データに付与されたコマ画像識別情報が読み込まれる。制御部４４ｅによりフィルムスキャナにより読み込まれた画像データ、識別情報及びコマ画像識別情報は対応付けられて全体制御装置２００に送信される。
【００７３】
ついで、ネガシート９２のフィルム収納部９２１がフィルム９１の搬送方向にセットされ、インクジェットヘッド４４ｄによってネガシート９２の所定位置に色情報によって特定される色の識別情報が印字される。
【００７４】
ついで、フィルム９１が前方に搬送されて、ネガシート９２のフィルム収納部９２１に挿入される。フィルム９１の所定コマ数（ここでは、６コマ）がネガシート９２のフィルム収納部９２１に挿入されると、フィルム９１がカッタ４４ｂによって所定位置（ここでは、６コマ目の後端位置）で切断される。ネガシート９２が次のフィルム収納部９２１に収納可能な位置にセットされた後、フィルム９１が更に搬送され、次のフィルム収納部９２１に挿入される。端部検出センサ４４ａによってフィルム９１の後端が検出された場合には、フィルム９１の最後のコマまでネガシート９２のフィルム収納部９２１に搬送してネガシート９２への挿入を完了する。
【００７５】
図９は写真出力装置６００の構成図の一例である。
【００７６】
写真出力装置６００のハウジング６０の内部６０Ｂには、レーザ光を用いて感光材６１の露光処理を行うレーザ露光装置６４が、感光材６１を搬送するコンベア６５上の露光位置６５Ｘに対向するように設けられている。コンベア６５は、複数組の従動ローラ６５Ａ及び駆動ローラ６５Ｂとガイドレール６５Ｃなどで構成されている。ハウジング６０の上面６０Ａには、ロール状に巻回された感光材６１をそれぞれ収納する複数、例えば２つのマガジン６２Ａ及び６２Ｂが装着されている。マガジン６２Ａ及び６２Ｂに収納されている感光材６１の種類を検出するために、２組のセンサ６２Ａ１及び６２Ｂ１が、それぞれマガジン６２Ａ及び６２Ｂに設けられている。
【００７７】
ハウジング６０、マガジン６２Ａ及び６２Ｂはそれぞれ暗箱であり、感光材６１の先端６１Ａ及び６１Ｂはそれぞれマガジン６２Ａ及び６２Ｂからハウジング６０の内部６０Ｂに引き出されている。感光材６１は、ハウジング６０の内部６０Ｂに設けられたカッタ６３により所定の大きさに切断される。以下、所定の大きさに切断された感光材６１を感光材片６１Ａという。感光材片６１Ａは、ハウジング６０の内部６０Ｂにおいて、コンベア６５により露光位置６５Ｘから感光材片６１Ａの現像処理を行う現像ユニット６６に搬送される。
【００７８】
現像ユニット６６は、それぞれ現像液、定着液、漂白液及び安定化液を収容する複数のタンク６６Ａ〜６６Ｄを有している。レーザ露光装置６４により露光された感光材片６１Ａが現像ユニット６６中を搬送されると、潜像が現像され、感光材片６１Ａの感光面上に画像が形成される。そして、現像された感光材片６１Ａは、乾燥ユニット６３により乾燥される。例えば、所要ライン分のヘッドを有するインクジェット方式の印字ユニット６９は、乾燥ユニット６３の下流側で、搬送される感光材片６１Ａの裏面となる側に配設され、搬送されてくる感光材片６１Ａの裏面に識別情報（ここでは、４桁の識別番号）の印刷を行うものである。印刷後の感光材片６１Ａは、ハウジング６０の内部６０Ｂから排出される。現像された感光材片６１Ａは、ハウジング６０の上面６０Ａに設けられたソータ６７上に積み重ねられる。
【００７９】
また、印字ユニット６９の近傍（例えば、上流側）には、感光材片６１Ａの通過を検出するセンサ（図示省略）を有し、このセンサ出力を受けて、印字ユニット６９が作動するようになっている。印字ユニット６９は、シアン、マゼンタ、イエロー、ブラックのインクリボンを備え、プリントされて得られた感光材片６１Ａに異なる色の識別情報を印字することが可能であり、色情報で特定される色の識別情報を印字するものである。なお、印字ユニット６９の配設位置は、乾燥ユニット６３の下流側に限らず、例えば、現像処理の影響を受けない場合には、現像ユニット６６の上流側の適所であってもよい。
【００８０】
制御部６８は、マイクロコンピュータ、メモリ等を有し、写真処理装置６００の全体の動作を制御する。制御部６８は、全体制御装置２００から画像データと共に同時または焼き増しプリント指示情報、識別情報、色情報を受信すると、装置各部を制御し、指示情報に従ってプリントすると共に、画像データをプリントして得られた感光材片６１Ａの裏面に色情報で特定される色の識別情報を印刷するものである。制御部６８は、全体制御装置２００から同時又は焼き増しプリント指示情報に加えて、インデックスプリント指示情報も受信すると、装置各部を制御し、インデックス９５をプリントすると共にインデックスがプリントされた感光材片６１Ａの裏面に色情報で特定される色の識別情報を印刷するものである。
【００８１】
ここで、同時または焼き増しプリント指示情報を受信した際の写真出力装置６００の動作の概要について説明する。制御部６８によって、写真出力装置６００全体の動作が制御されて、画像データがプリントされ、プリントされて得られた感光材片６１Ａの裏面に印字ユニット６９により識別情報が色情報で特定される色で印刷される。また、インデックス９５のプリントを行う際は、インデックスのプリント処理により得られた感光材片６１Ａの裏面に印字ユニット６９により識別情報が色情報で特定される色で印刷される。
【００８２】
図１０は、ＣＤ処理装置７００の斜視図の一例である。ＣＤ処理装置７００は、図の手前右側に処理前（新品）のＣＤ−ＲＷをストックする入側ビン７１と、入側ビン７１の左側奥部にＣＤ−ＲＷにデータを書き込むＣＤ−ＲＷライタ７２と、ＣＤ−ＲＷライタ７２の上側にＣＤ−ＲＷのレーベル面に識別情報、インデックス画像等をインクジェット方式によって印刷する印刷ユニット７３と、印刷ユニット７３の左側にＣＤ−ＲＷを移送する移送ユニット７４と、移送ユニット７４の手前に処理済のＣＤ−ＲＷをストックする出側ビン７５と、ＣＤ処理装置７００の全体の動作を制御するＣＰＵ、ＲＯＭ、ＲＡＭ等からなる制御部７６とを備えている。印刷ユニット７３は、シアン、マゼンタ、イエロー、ブラックのインクリボンを備え、ＣＤ−ＲＷのレーベル面に色情報で特定される色で識別情報を印刷したり、インデックス画像を印刷するものである。
【００８３】
制御部７６は、マイクロコンピュータ、メモリ等を有し、ＣＤ処理装置７００の全体の動作を制御する。制御部７６は、全体制御装置２００から画像データと共にＣＤ書き込み指示情報、識別情報、色情報を受信すると、装置各部を制御して、画像データをＣＤ−ＲＷに書込むと共に、ＣＤ−ＲＷのレーベル面に識別情報を印刷するものである。制御部７６は、ＣＤ書き込み指示情報に加えて、レーベル印刷指示情報を受信すると、装置各部を制御して、ＣＤ−ＲＷのレーベル面にインデックス画像を印刷するものである。
【００８４】
ここで、ＣＤ書き込み支持情報を受信した際のＣＤ処理装置７００の動作の概要について説明する。制御部７６によって、ＣＤ処理装置７００の全体の動作が制御されて、ＣＤ−ＲＷライタ７２のトレイがＣＤ−ＲＷを載置可能な位置に移動され、移送ユニット７４によって、新品のＣＤ−ＲＷが入側ビン７１からＣＤ−ＲＷライタ７２のテーブル上に移送される。そして、ＣＤ−ＲＷライタ７２のトレイがＣＤ−ＲＷの書込み可能な位置に移動され、ＣＤ−ＲＷライタ７２によってＣＤ−ＲＷに画像データが書き込まれる。
【００８５】
次に、ＣＤ−ＲＷライタ７２のトレイがＣＤ−ＲＷの取り出し可能な位置に移動され、移送ユニット７４によって、ＣＤ−ＲＷがＣＤ−ＲＷライタ７２から取り出され、図略の印刷用トレイ上に移送される。印刷ユニット７３によって、ＣＤ−ＲＷのレーベル面に色情報で特定される色の識別情報が印刷される。なお、制御部７６によってレーベル印刷指示情報が受信された場合は、印刷ユニット７３によって、ＣＤ−ＲＷのレーベル面に色情報で特定される色の識別情報が印刷されると共にインデックス画像が印刷される。
【００８６】
そして、移送ユニット７４によって、ＣＤ−ＲＷが印刷用トレイ上から出側ビン７５に移送され、処理が終了される。図１１は、レーベル面に識別情報及びインデックス画像が印刷されたＣＤ−ＲＷの一例である。図に示すように、ＣＤ―ＲＷ８０のレーベル面８１に識別情報８２（ここでは、識別番号「０７５３」）及びインデックス画像８３が印刷された状態で、移送ユニット７４によって印刷用トレイ上から出側ビン７５に移送され、載置される。このようにして、識別情報がディスク状の記録媒体であるＣＤ−ＲＷのレーベル面に印刷されるため、作業者等がＣＤ−ＲＷに印刷された識別情報を容易に確認することが可能となる。
【００８７】
上述のように、識別情報がネガシート９２及びプリントされた各写真９３に視認可能に記録されるため、記録された識別情報を用いて、フィルム９１（ここでは、フィルム９１が収納されたネガシート９２）とプリントされた写真９３とを効率的に照合することが可能となる。
【００８８】
また、ＣＤ処理装置７００によって、フィルム処理装置４００で読み取られたフィルム９１の画像データがＣＤ９４に格納されると共に、ＣＤ９４のレーベル面に識別情報が視認可能に記録されるため、識別情報を用いて、ＣＤ９４とフィルム９１（ここでは、フィルム９１が収納されたネガシート９２）とを効率的に照合することが可能となる。
【００８９】
さらに、注文種別毎に異なる色の識別情報が写真９３、ＣＤ９４等の注文品に視認可能に記録されるため、作業者等は、プリントされた写真等の注文品の検品作業を行う際に、注文品に記録された識別情報の色から注文者から要求された注文品の種類を判断し、全ての注文品が揃っているか否かを容易に、かつ、正確に確認することができる。これにより、処理時間の短縮が図られ、さらに一部の注文品の欠落等が防止される。
【００９０】
しかも、識別情報が黒以外の色彩でネガシート９２、プリントされた写真９３、ＣＤ９４等に印刷されるため、作業者等がＣＤ−ＲＷに印刷された識別情報が更に視認し易くなる。
【００９１】
なお、本発明は以下の形態をとることができる。
【００９２】
（Ａ）本実施形態においては、受付装置１００、全体制御装置２００、フィルム現像機３００、フィルム処理装置４００、注文情報表示装置５００、写真出力装置６００、ＣＤ処理装置７００別々の装置として構成されている場合について説明したが、これらの内の２つ以上の装置を一体に構成する形態でもよい。例えば、受付装置１００と注文情報表示装置５００とを１の装置で構成する形態でもよい。この場合には、注文情報等を伝送する必要がなくなり、写真処理システム１０の構成が簡略化される。
【００９３】
（Ｂ）本実施形態においては、受付装置１００が預り証９６を発行する場合について説明したが、預り証９６に替えて（又は、加えて）受付装置１００が、注文者の所有するパーソナルコンピュータ又は携帯電話等に対して識別情報を含む電子メールを送信する形態でもよい。この場合には、注文者が預り証９６を紛失する等に伴って確認作業が煩雑化する可能性が抑制される。
【００９４】
（Ｃ）本実施形態においては、フィルム処理装置４００のインクジェットヘッド４４ｄによりネガシート上に識別情報を印字する場合について説明したが、その他の方法によって識別情報を記録する形態でもよい。例えば、識別情報が印刷された印刷物を貼り付ける形態でもよい。
【００９５】
（Ｄ）本実施形態においては、写真出力装置６００がプリントされた各写真９３の裏面に識別情報を印刷する場合について説明したが、写真出力装置６００が１のフィルム９１に対応する写真９３（の束）を出力する度に識別情報が記録された印画紙を出力する形態でもよい。この場合には、写真９３の裏面に識別情報を印刷するための印字ユニット６９等が不要となり、装置が簡略化される。また、識別情報が記録された印画紙に識別情報に対応するフィルム９１に含まれる写真のサムネイル画像をプリントして出力する形態でもよい。この場合には、サムネイル画像がプリントされる印画紙と、識別情報が記録される印画紙とが共用されるため、印画紙を有効に使用することが可能となる。また、識別情報が記録される印画紙にサムネイル画像がプリントされているため、識別情報が記録される印画紙とプリントされた各写真９３とがバラバラになった（対応付けが不明な状態となった）場合にも、識別情報が記録される印画紙とプリントされた各写真９３との照合が可能となる。
【００９６】
（Ｅ）本実施形態においては、画像データをＣＤ−ＲＷに記録する場合について説明したが、その他の記録媒体に記録する形態でもよい。例えば、ＣＤ−Ｒ、ＤＶＤ−Ｒ、ＤＶＤ−ＲＷ、ＤＶＤ＋ＲＷ、ＤＶＤ−ＲＡＭ等に記録する形態でもよい。
【００９７】
（Ｆ）本実施形態においては、受付装置１００がフィルム９１毎に識別情報を付与する場合について説明したが、注文（オーダー）毎に識別情報を付与する形態でもよい。この場合には、受付情報記憶部１１２ａ等の記憶領域が削減されると共に、処理が簡略化される。
【図面の簡単な説明】
【００９８】
【図１】本発明が適用される写真処理システムの概略構成図の一例である。
【図２】受付装置のハード構成図の一例である。
【図３】受付装置の機能構成図の一例である。
【図４】色情報記憶部に互いに関連付けて記憶される注文種別及び色情報と、注文情報に従い作成される注文品との関係を表す表である。
【図５】受付装置の動作を表すフローチャートの一例である。
【図６】全体制御装置のハード構成図の一例である。
【図７】全体制御装置の機能構成図の一例である。
【図８】フィルム処理装置のフィルム収納部のハード構成図の一例である。
【図９】写真出力装置のハード構成図の一例である。
【図１０】ＣＤ処理装置の斜視図の一例である。
【図１１】ＣＤ処理装置により生成されたＣＤの一例である。
【符号の説明】
【００９９】
１０  写真処理システム
１００  受付装置
２００  全体制御装置
３００  フィルム現像機
４００  フィルム処理装置
５００  注文情報表示装置
６００  写真出力装置
７００  ＣＤ処理装置
９１  フィルム
９２  ネガシート
９３  写真
９４  ＣＤ
９５  インデックス
９６  預り証
【図１】
2005331756.tif 000003
【図２】
2005331756.tif 000004
【図３】
2005331756.tif 000005
【図４】
2005331756.tif 000006
【図５】
2005331756.tif 000007
【図６】
2005331756.tif 000008
【図７】
2005331756.tif 000009
【図８】
2005331756.tif 000010
【図９】
2005331756.tif 000011
【図１０】
2005331756.tif 000012
【図１１】
2005331756.tif 000013